【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
長手方向および幅方向を有し、肌側に設けられた液透過性のトップシートと着衣側に設けられた液不透過性のバックシートと幅方向の両側に長手方向に延びる縁を含み該トップシートおよび該バックシートの間に設けられた液保持性の吸収体とを備えた吸収性物品であって、
少なくとも前記吸収体の幅方向の両縁の外側において、前記吸収体からしみ出た体液を流し込むための複数の第１の流路および複数の第２の流路を含み、
前記複数の第１の流路は、長手方向に延在し、幅方向に並び、
前記複数の第２の流路は、隣接する前記第１の流路を連結し、
前記吸収体が設けられている領域の少なくとも一部の領域において、前記トップシートは、前記複数の第１の突条部と肌側の表面に設けられた血液改質剤層とを含み、
前記血液改質剤層の血液改質剤が、０．００〜０．６０のＩＯＢと、４５℃以下の融点と、２５℃の水１００ｇに対する、０．００〜０．０５ｇの水溶解度とを有する、
前記吸収性物品。
【請求項２】
少なくとも前記吸収体の幅方向の両縁の外側において、前記トップシートは、長手方向に延在し、幅方向に並ぶ複数の第１の突条部と、隣接する該第１の突条部を連結する複数の第２の突条部と、該第１の突条部および該第２の突条部の基礎となる部分の底部とを含み、
前記トップシートの底部は、前記バックシートと接合し、
前記第１の流路は、前記トップシートの前記第１の突条部および前記バックシートから構成され、
前記第２の流路は、前記トップシートの第２の突条部および前記バックシートから構成される、請求項１に記載の吸収性物品。
【請求項３】
前記トップシートの幅方向両側に一対のサイドシートをさらに備え、
前記サイドシートは、少なくとも前記吸収体の幅方向の両縁の外側に設けられ、
少なくとも前記吸収体の幅方向の両縁の外側において、前記サイドシートは、長手方向に延在し、幅方向に並ぶ複数の第１の突条部と、隣接する該第１の突条部を連結する複数の第２の突条部と、該第１の突条部および該第２の突条部の基礎となる部分の底部とを含み、
前記サイドシートの底部は、前記バックシートと接合し、
前記第１の流路は、前記サイドシートの前記第１の突条部および前記バックシートから構成され、
前記第２の流路は、前記サイドシートの第２の突条部および前記バックシートから構成される、請求項１に記載の吸収性物品。
【請求項４】
前記吸収体の幅方向の縁が、幅方向内側へ突出するように湾曲している、請求項１〜３のいずれか１項に記載の吸収性物品。
【請求項５】
少なくとも前記吸収体の幅方向の両縁の外側において、前記第１の流路が、幅方向外側へ突出するように湾曲している、請求項１〜４のいずれか１項に記載の吸収性物品。
【請求項６】
前記トップシート、前記バックシートおよび前記吸収体を備えた本体部と、該本体部の両側縁から幅方向に延出するように該本体部の両側に設けられた一対のウイング部とを含み、
前記吸収体の幅方向の両縁と、前記吸収体の幅方向の縁の外側にあり、前記本体部および前記ウイング部の境界であるウイング部の付け根との間に、前記第１の流路および前記第２の流路を少なくとも含む、請求項１〜５のいずれか１項に記載の吸収性物品。
【請求項７】
前記第１の流路の長手方向の両端部を圧縮して密閉するシール部を長手方向両側に含む請求項１〜６のいずれか１項に記載の吸収性物品。
【請求項８】
前記吸収体が設けられている領域の少なくとも一部の前記領域では、前記第１の突条部は、長手方向に並ぶ複数の開口部を両側面に有する、請求項１〜７のいずれか１項に記載の吸収性物品。
【請求項９】
前記血液改質剤が、次の（ｉ）〜（ｉｉｉ）、
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）およびオキシ基（−Ｏ−）から成る群から選択される、一または複数の、同一または異なる基とを有する化合物、および
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）およびオキシ基（−Ｏ−）から成る群から選択される、一または複数の、同一または異なる基と、（ｉｉｉ−３）前記炭化水素部分の水素原子を置換する、カルボキシル基（−ＣＯＯＨ）およびヒドロキシル基（−ＯＨ）から成る群から選択される、一または複数の、同一または異なる基とを有する化合物、
ならびにそれらの任意の組み合わせから成る群から選択され、
ここで、（ｉｉ）または（ｉｉｉ）の化合物において、オキシ基が２つ以上挿入されている場合には、各オキシ基は隣接していない、請求項１〜８のいずれか１項に記載の吸収性物品。
【請求項１０】
前記血液改質剤が、次の（ｉ’）〜（ｉｉｉ’）、
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、およびエーテル結合（−Ｏ−）から成る群から選択される、一または複数の、同一または異なる結合とを有する化合物、および
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、およびエーテル結合（−Ｏ−）から成る群から選択される、一または複数の、同一または異なる結合と、（ｉｉｉ’−３）前記炭化水素部分の水素原子を置換する、カルボキシル基（−ＣＯＯＨ）およびヒドロキシル基（−ＯＨ）から成る群から選択される、一または複数の、同一または異なる基とを有する化合物、
ならびにそれらの任意の組み合わせから成る群から選択され、
ここで、（ｉｉ’）または（ｉｉｉ’）の化合物において、２以上の同一または異なる結合が挿入されている場合には、各結合は隣接していない、請求項１〜９のいずれか１項に記載の吸収性物品。
【請求項１１】
前記血液改質剤が、次の（Ａ）〜（Ｆ）、
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸またはオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つの結合とを有する化合物、
（Ｅ）ポリオキシＣ2〜Ｃ6アルキレングリコール、またはそのアルキルエステルもしくはアルキルエーテル、および
（Ｆ）鎖状炭化水素、
ならびにそれらの任意の組み合わせから成る群から選択される、請求項１〜１０のいずれか１項に記載の吸収性物品。
【請求項１２】
前記血液改質剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸またはオキソ酸と、少なくとも１の脂肪族１価アルコールとのエステル、（ｃ2）３個のカルボキシル基を有する鎖状炭化水素トリカルボン酸、ヒドロキシ酸、アルコキシ酸またはオキソ酸と、少なくとも１の脂肪族１価アルコールとのエステル、（ｃ3）２個のカルボキシル基を有する鎖状炭化水素ジカルボン酸、ヒドロキシ酸、アルコキシ酸またはオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ2〜Ｃ6アルキレングリコール、（ｅ2）ポリオキシＣ2〜Ｃ6アルキレングリコールと少なくとも１の脂肪酸とのエステル、（ｅ3）ポリオキシＣ2〜Ｃ6アルキレングリコールと少なくとも１の脂肪族１価アルコールとのエーテル、（ｅ4）ポリオキシＣ2〜Ｃ6アルキレングリコールと、鎖状炭化水素テトラカルボン酸、鎖状炭化水素トリカルボン酸、または鎖状炭化水素ジカルボン酸とのエステル、（ｅ5）ポリオキシＣ2〜Ｃ6アルキレングリコールと、鎖状炭化水素テトラオール、鎖状炭化水素トリオール、または鎖状炭化水素ジオールとのエーテル、および（ｆ1）鎖状アルカン、ならびにそれらの任意の組み合わせから成る群から選択される、請求項１〜１１のいずれか１項に記載の吸収性物品。